(57)【要約】【課題】寸法誤差が生じた場合でも、柱状の容器を確実に取り付けることができる保持具を提供すること。【解決手段】本発明に係る保持具は、柱状の容器を保持する保持具であって、板状の第１部材と、第１部材と、第１折曲げ線を介して連結される板状の連結部材と、第１折曲げ線の一端部側に設けられ、容器の上端部と係合可能な第１ストッパと、第１折曲げ線の他端部側に設けられ、容器の下端部と係合可能な第２ストッパと、第１ストッパと第２ストッパとの間に設けられ、容器の外周面に巻き付くように構成された保持部と、を備え、連結部材と第１部材とに亘って、第１折曲げ線と垂直に延びる一対の第１切れ込み線が形成され、第１ストッパは、当該一対の第１切れ込み線に挟まれた領域が、第１折曲げ線の折り曲げに伴って突出することで形成され、第１ストッパを構成する一対の第１切れ込み線のうち、第１折曲げ線の一端部側の第１切れ込み線が、他端部側の第１切れ込み線よりも長い。【選択図】図１
2015155309.tif 000002
【特許請求の範囲】
【請求項１】
柱状の容器を保持する保持具であって、
板状の第１部材と、
前記第１部材と、第１折曲げ線を介して連結される板状の連結部材と、
前記第１折曲げ線の一端部側に設けられ、前記容器の上端部と係合可能な第１ストッパと、
前記第１折曲げ線の他端部側に設けられ、前記容器の下端部と係合可能な第２ストッパと、
前記第１ストッパと第２ストッパとの間に設けられ、前記容器の外周面に巻き付くように構成された保持部と、
を備え、
前記連結部材と前記第１部材とに亘って、前記第１折曲げ線と垂直に延びる一対の第１切れ込み線が形成され、前記第１ストッパは、当該一対の第１切れ込み線に挟まれた領域が、前記第１折曲げ線の折り曲げに伴って突出することで形成され、
前記第１ストッパを構成する前記一対の第１切れ込み線のうち、前記第１折曲げ線の一端部側の前記第１切れ込み線が、他端部側の前記第１切れ込み線よりも長い、保持具。
【請求項２】
前記連結部材を挟んで前記第１部材とは反対側に、前記第１折曲げ線と平行な第１方向に沿って延びる第２折曲げ線を介して、当該連結部材に連結される板状の第２部材と、
前記第１部材において、前記第１方向と垂直な第２方向の一端部側の端部に設けられた第１固定部と、
前記第２部材において、前記第２方向の他端部側の端部に設けられ、前記第１折曲げ線及び第２折曲げ線の折り曲げに伴って、前記第１固定部と着脱自在に固定される第２固定部と、
をさらに備え、
前記連結部材または前記第２部材と前記第１部材とに亘って、前記第２方向に延びる一対の第２切れ込み線が形成され、前記保持部は、当該一対の第２切れ込み線に挟まれた領域が、前記第１折曲げ線の折り曲げに伴って突出することで形成され、
前記第２方向において、前記第１折曲げ線から前記第１固定部までの第１長さが、前記第２折曲げ線から前記第２固定部までの第２長さと、相違する、請求項１に記載の保持具。
【請求項３】
前記第１長さが、前記第２長さよりも長い、請求項２に記載の保持具。
【請求項４】
前記一対の第２切れ込み線の間の長さは、前記第２方向の両端部よりも、前記第２方向の中間部において長くなっている、請求項２または３に記載の保持具。
【請求項５】
柱状容器を固定する方法であって、
板状の第１部材と、前記第１部材と第１折曲げ線を介して連結される板状の連結部材と、前記第１折曲げ線の一端部側に設けられた第１ストッパと、前記第１折曲げ線の他端部側に設けられた第２ストッパと、前記第１ストッパと第２ストッパとの間に設けられた保持部と、を備えた保持具であって、前記連結部材と前記第１部材とに亘って、前記第１折曲げ線と垂直に延び、前記第１ストッパを構成する一対の第１切れ込み線が形成され、当該一対の第１切れ込み線のうち、前記第１折曲げ線の一端部側の前記第１切れ込み線が、他端部側の前記第１切れ込み線よりも長い、保持具を準備するステップと、
前記第１折曲げ線を折り曲げるステップと、
前記第２ストッパに前記容器の下端部を支持させるとともに、前記保持部に前記容器の外周面を巻き付けるステップと、
前記一対の第１切れ込み線に挟まれた領域を突出させることで、前記容器の上端部に係合可能な前記第１ストッパを形成するステップと、
を備えている、柱状容器の固定方法。
【発明の詳細な説明】
【技術分野】
【０００１】
本発明は、柱状容器の保持具及び柱状容器の固定方法に関する。
【背景技術】
【０００２】
円筒などの柱状に形成された容器は、例えば、特許文献１のような保持具に保持される。このほか、柱状の容器は、図５に示すような保持具に保持されることが知られている。以下、詳細に説明する。
【０００３】
＜１．保持具の概要＞
図５に示す保持具は、円柱状に形成された容器１００を保持するためのものであり、紙製の板材で形成された、矩形状の連結部材３と、その両側に連結された矩形状の第１部材１と第２部材２とを備えている。そして、連結部材３に対して第１部材１及び第２部材２を折り曲げることで形成される断面三角形状の収容空間２００に、容器１００を保持するように構成されている。
【０００４】
＜２．保持具の展開状態＞
以下では、保持具をさらに詳細に説明するため、図６を参照しつつ保持具を展開した状態から説明する。図６は保持具の展開図である。以下では、説明の便宜のため、図６の左右方向を「左右方向」または「幅方向」、図６の上下方向を「上下方向」と称し、この方向を基準に他の図面でも説明を行う。また、保持具において、図６の紙面手前側の面を前面、紙面背後側の面を背面と称することとする。なお、以下の説明において、「切れ込み線」とは、保持具を構成する紙材を貫通している線であり、「折曲げ線」とは、折り曲げ用の折り目となる線である。
【０００５】
図６に示すように、この保持具は、上述した第１部材１、連結部材３、及び第２部材２が右から左へこの順で並ぶように連結されている。すなわち、連結部材３の両側に第１部材１及び第２部材２がそれぞれ連結されている。そして、第１部材１と連結部材３とは上下方向に延びる第１折曲げ線１０を介して連結され、連結部材３と第２部材２とは上下方向に延びる第２折曲げ線２０を介して連結されている。第１部材１と第２部材２とは概ね同じ大きさの部材であり、連結部材３はこれらを連結する幅の小さい部材である。そして、第１部材１と第２部材２が近接するように、第１折曲げ線１０及び第２折曲げ線２０を折り曲げることで、容器１００は、第１部材１と第２部材２との間に挟むように、保持される。
【０００６】
容器１００を保持するため、この保持具には、第１折曲げ線１０に沿って、上方から下方へ第１ストッパ６、保持部７、第２ストッパ８がこの順で形成されており、これら３つの部材によって容器１００を保持するようになっている。後述するように、第１ストッパ６は容器１００の上端部と係合し、第２ストッパ８は容器１００の下端部と係合する。すなわち、容器１００は、第１ストッパ６と第２ストッパ８との間に配置され、上方または下方への抜け止めになっている。また、保持部７は、容器１００の外周面に巻き付くように構成され、容器１００を保持具に保持する役割を果たす。さらに、第１部材１及び第２部材２の端部には、それぞれ第１舌片１１及び第２舌片２１が設けられており、これら舌片１１，２１によって第１部材１と第２部材２とを互いに固定するようになっている。以下、展開された状態の保持具における、これらの部材について説明する。
【０００７】
＜２−１．第１ストッパ＞
第１ストッパ６は、保持具の上部に配置されており、左右方向に延びる一対の第１切れ込み線６１，６２に挟まれた領域が突出することで形成される。ここでは説明の便宜のための上側に配置された第１切れ込み線を上側第１切れ込み線６１、下側に配置された第１切れ込み線を下側第１切れ込み線６２と称することとする。
【０００８】
両第１切れ込み線６１，６２は、第１折曲げ線１０をまたぐように形成されており、両第１切れ込み線６１，６２の長さは同じである。また、上側第１切れ込み線６１及び下側第１切れ込み線６２の中心を、上下方向に第１折曲げ線１０が通過している。そして、両第１切れ込み線６１，６２の右側端部同士を結ぶ右側第１ストッパ折曲げ線６３が形成され、第１部材１内で上下方向に延びている。一方、両第１切れ込み線６１，６２の左側端部同士を結ぶ左側第１ストッパ折曲げ線６４が形成され、連結部材３内の中央付近で上下方向に延びている。
【０００９】
ここでは、説明の便宜上、右側第１ストッパ折曲げ線６３と第１折曲げ線１０との間の領域を右側第１ストッパ片６０１、第１折曲げ線１０と左側第１ストッパ折曲げ線６４との間の領域を左側第１ストッパ片６０２と称することとする。そして、これら右側第１ストッパ片６０１及び左側第１ストッパ片６０２の左右方向の長さは、容器１００の直径よりも短くなるように形成されている。以上のように形成された両第１切れ込み線６１，６２、及び両第１ストッパ折曲げ線６３，６４で囲まれた矩形状の領域が突出することで第１ストッパ６が形成される。すなわち、第１ストッパ６は、両第１ストッパ折曲げ線６３，６４が谷折りされるとともに、第１ストッパ６上を通過する第１折曲げ線１０が山折りされることで、山型状に形成される。
【００１０】
＜２−２．保持部＞
保持部７は、第１ストッパ６と第２ストッパ８との間に配置され、左右方向に延びる一対の第２切れ込み線に挟まれた領域が突出することで形成される。ここでは説明の便宜のための上側に配置された第２切れ込み線を上側第２切れ込み線７１、下側に配置された第２切れ込み線を下側第２切れ込み線７２と称することとする。
【００１１】
両第２切れ込み線７１，７２は、同じ長さであり、第２折曲げ線２０から右側へ、第１折曲げ線１０をまたぐように第１部材１まで延びている。そして、上側第２切れ込み線７１及び下側第２切れ込み線７２の中心を、上下方向に、第１折曲げ線１０が通過している。
【００１２】
また、両第２切れ込み線７１，７２の右側端部同士を結ぶ右側保持部折曲げ線７３が、第１部材１内に形成され、上下方向に延びている。一方、両第２切れ込み線７１，７２の左側端部同士を結ぶ線は、第２折曲げ線２０に一致している。以上のように形成された両第２切れ込み線７１，７２、右側保持部折曲げ線７３、及び第２折曲げ線２０で囲まれた矩形状の領域が突出することで保持部７が形成される。ここでは、説明の便宜上、右側保持部折曲げ線７３と第１折曲げ線１０との間の領域を右側保持片７０１、第１折曲げ線１０と第２折曲げ線２０との間の領域を左側保持片７０２と称することとする。これら右側保持片７０１及び左側保持片７０２の左右方向の長さは、容器１００の直径と概ね一致するように形成されている。そして、保持部７は、右側保持部折曲げ線７３と第２折曲げ線２０が谷折りされるとともに、保持部７上を通過する第１折曲げ線１０が山折りされることで、山型状に形成される。このとき、第１部材１及び連結部材３と保持部７とによって形成される断面矩形状の保持空間３００に、容器１００が保持される。
【００１３】
＜２−３．第２ストッパ＞
第２ストッパ８は、保持具の下部に配置されており、左右方向に延びる一対の第３切れ込み線に挟まれた領域が突出することで形成される。ここでは説明の便宜のための上側に配置された第３切れ込み線を上側第３切れ込み線８１、下側に配置された第３切れ込み線を下側第３切れ込み線８２と称することとする。
【００１４】
両第３切れ込み線８１，８２は、第１折曲げ線１０をまたぐように形成されており、両第３切れ込み線８１，８２の長さは同じである。また、両第３切れ込み線８１，８２の長さは、下側第１切れ込み線６２の長さとほぼ同じである。そして、上側第３切れ込み線８１及び下側第３切れ込み線８２の中心を、上下方向に、第１折曲げ線１０が通過している。また、両第３切れ込み線８１，８２の右側端部同士を結ぶ右側第２ストッパ折曲げ線８３が形成され、第１部材１内で上下方向に延びている。一方、両第３切れ込み線８１，８２の左側端部同士を結ぶ左側第２ストッパ折曲げ線８４が形成され、連結部材３内の中央付近で上下方向に延びている。
【００１５】
ここでは、説明の便宜上、右側第２ストッパ折曲げ線８３と第１折曲げ線１０との間の領域を右側第２ストッパ片８０１、第１折曲げ線１０と左側第２ストッパ折曲げ線８４との間の領域を左側第２ストッパ片８０２と称することとする。そして、これら右側第２ストッパ片８０１及び左側第２ストッパ片８０２の左右方向の長さは、容器１００の直径よりも短くなるように形成されている。以上のように形成された両第３切れ込み線８１，８２、及び両第２ストッパ折曲げ線８３，８４で囲まれた矩形状の領域が突出することで第２ストッパ８が形成される。すなわち、第２ストッパ８は、両第２ストッパ折曲げ線８３，８４が谷折りされるとともに、第２ストッパ８上を通過する第１折曲げ線１０が山折りされることで、山型状に形成される。
【００１６】
また、第１ストッパ６の下側第１切れ込み線６２と、第２ストッパ８の上側第３切れ込み線８１との間の長さ（ここでは、設置長さＳと称する）は、容器１００の上下方向の高さＬと概ね一致している。
【００１７】
＜２−４．舌片＞
第１部材１の右側の端部には、上下方向に延びる第１舌片１１が形成されている。第１舌片１１は、上下の辺が円弧状に形成された矩形状に形成されており、右辺１１１が第１部材１に固定され、その他の上辺、左辺、及び、下辺が切れ込み線１１２となっている。したがって、第１舌片１１は、第１部材１に対し、右辺１１１を中心に揺動可能となっている。
【００１８】
一方、第２部材２の左側の端部には、上下方向に延びる矩形状の第２舌片２１が形成されている。第２舌片２１は、右辺が長く、左辺が短い台形状に形成されており、右辺の長さは第１舌片の上下方向の最大長さよりやや長く、左辺は第１舌片の右辺の長さよりもやや長く形成されている。そして、第２舌片２１は、右辺２１１が第２部材２に固定されるとともに、その他の上辺、左辺、及び、下辺が切れ込み線２１２となっている。したがって、第２舌片２１は、第２部材２に対し、右辺２１１を中心に揺動可能となっている。
【００１９】
また、第１舌片１１及び第２舌片２１の位置について、第１折曲げ線１０から第１舌片１１の右辺１１１までの左右方向の長さＤ１と、第２折曲げ線２０から第２舌片２１の左辺までの左右方向の長さＤ２とは同じである。
【００２０】
＜３．保持具への容器の取付＞
次に、上記のように形成された保持具に対し、容器を取り付ける手順について、図７〜図１０を参照しつつ説明する。
【００２１】
まず、図７に示すように、第１折曲げ線１０及び第２折曲げ線２０を谷折りしつつ、保持具の背面から保持部７及び第２ストッパ８を押圧し、前面側に突出させる。これにより、保持部７においては、右側保持部折曲げ線７３と第２折曲げ線２０が谷折りされるとともに、保持部７上を通過する第１折曲げ線１０が山折りされることで、第１部材１及び連結部材３と保持部７との間に、断面矩形状の保持空間３００が形成される。また、第２ストッパ８は、両第２ストッパ折曲げ線８３，８４が谷折りされるとともに、第２ストッパ８上を通過する第１折曲げ線１０が山折りされることで、断面矩形状に突出する。
【００２２】
そして、保持空間が概ね正方形状となるまで、第１折曲げ線１０及び第２折曲げ線２０を折り曲げた後、図８に示すように、保持部７の上方から、保持空間３００へ容器１００を挿入し、容器１００の下端部を第２ストッパ８に当接させる。このとき、第２ストッパ８の右側第２ストッパ片８０１及び左側第２ストッパ片８０２の左右方向の長さは、容器１００の直径よりも短いため、第２ストッパ８は抜け止めとなり、容器１００が下方へ移動するのを防止する。
【００２３】
次に、図９に示すように、保持具の背面から第１ストッパ６を押圧し、前面側に突出させる。これにより、第１ストッパ６は、両第１ストッパ折曲げ線６３，６４が谷折りされるとともに、第１ストッパ６上を通過する第１折曲げ線１０が山折りされることで、前面側へ山型状に突出する。このとき、第１ストッパ６の右側第１ストッパ片６０１及び左側第１ストッパ片６０２の左右方向の長さは、容器１００の直径よりも短いため、第１ストッパ６は抜け止めとなり、容器１００が上方へ移動するのを防止する。したがって、容器１００は第１ストッパ６と第２ストッパ８で挟まれ、保持具内での上下方向の移動が規制される。
【００２４】
続いて、第１折曲げ線１０及び第２折曲げ線２０をさらに谷折りし、第１舌片１１と第２舌片２１とを近接させる。これに続いて、図１０に示すように、保持具の前面における第２舌片２１の左辺側から、第１舌片１１を挿入し、保持具の背面側に突出させる。そして、第１舌片１１の右辺１１１が、第２舌片２１の左辺とほぼ一致するまで、第１舌片１１を挿入すれば、図５に示すように、容器１００の取り付けが完了する。
【先行技術文献】
【特許文献】
【００２５】
【特許文献１】特開２０１１−９３６０３号公報
【発明の概要】
【発明が解決しようとする課題】
【００２６】
ところで、上記保持具には、次のような問題がある。保持具において、容器１００の上下方向に移動を確実に規制するには、第１ストッパ６と第２ストッパ８との間の長さ、つまり設置長さＳを容器１００の高さＬと正確に一致させる必要がある。しかしながら、設置長さＳを容器１００の高さＬと正確に一致させるように設計すると、寸法誤差により、設置長さＳが容器１００の高さＬよりも短くなる可能性があり、このような状態になると容器１００を取り付けたときに、容器１００が邪魔になって第１ストッパ６を前面側に突出させることができなくなる。その結果、容器１００を保持具に取り付けることができなくなる。
【００２７】
本発明は、上記問題を解決するためになされたものであり、寸法誤差が生じた場合でも、柱状の容器を確実に取り付けることができる保持具を提供することを目的とする。
【課題を解決するための手段】
【００２８】
本発明に係る柱状容器を保持する保持具は、板状の第１部材と、前記第１部材と、第１折曲げ線を介して連結される板状の連結部材と、前記第１折曲げ線の一端部側に設けられ、前記容器の上端部と係合可能な第１ストッパと、前記第１折曲げ線の他端部側に設けられ、前記容器の下端部と係合可能な第２ストッパと、前記第１ストッパと第２ストッパとの間に設けられ、前記容器の外周面に巻き付くように構成された保持部と、を備え、前記第１ストッパは、前記連結部材と前記第１部材とに亘って、前記第１折曲げ線と垂直に延びる一対の第１切れ込み線を有し、当該一対の第１切れ込み線に挟まれた領域が、前記第１折曲げ線の折り曲げに伴って突出するように構成され、前記第１ストッパを構成する前記一対の第１切れ込み線のうち、前記第１折曲げ線の一端部側の前記第１切れ込み線が、他端部側の前記第１切れ込み線よりも長い。
【００２９】
この構成によれば、従来技術の保持具と比べ、次の利点がある。第１ストッパにおいては、第1折曲げ線の一端部側の第１切れ込み線が他端部側の第１切れ込み線よりもやや長く形成されているため、第１折曲げ線及び第２折曲げ線を折り曲げた後、第１ストッパを突出させると、第１ストッパは、他端部側に傾斜した状態となる。すなわち、突出した第１ストッパの他端部側の端縁は、連結部材から第１部材へ延びる他端部側の第１切れ込み線よりも他端部側に位置し、これによって第１ストッパと容器の上端部とが当接、または非常に近接した状態となる。
【００３０】
したがって、他端部側の第１切れ込み線と第２ストッパとの間の設置長さを、容器の高さと正確に一致させる必要がなく、設置長さを容器の高さよりもやや長くすることができる。この点、従来技術の保持具では、設置長さを容器の高さと正確に一致させるように設計すると、寸法誤差により、設置長さが容器の高さよりも短くなる可能性があり、このような状態になると容器を保持具に取り付けることができなかったが、本発明においては、設置長さを容器の高さよりもやや長くすることができるため、寸法誤差が生じた場合でも、第１ストッパを突出させることができ、容器を保持具に容易に取り付けることが可能となる。
【００３１】
上記保持具においては、前記連結部材を挟んで前記第１部材とは反対側に、前記第１折曲げ線と平行な第１方向に沿って延びる第２折曲げ線を介して、当該連結部材に連結される板状の第２部材と、前記第１部材において、前記第１方向と垂直な第２方向の一端部側の端部に設けられた第１固定部と、前記第２部材において、前記第２方向の他端部側の端部に設けられ、前記第１折曲げ線及び第２折曲げ線の折り曲げに伴って、前記第１固定部と着脱自在に固定される第２固定部と、をさらに備えることができる。そして、前記保持部は、前記連結部材または前記第２部材と前記第１部材とに亘って、前記第２方向に延びる一対の第２切れ込み線を有し、当該一対の第２切れ込み線に挟まれた領域が、前記第１折曲げ線の折り曲げに伴って突出するように構成することができ、前記第２方向において、前記第１折曲げ線から前記第１固定部までの第１長さが、前記第２折曲げ線から前記第２固定部までの第２長さと、相違するように構成することができる。
【００３２】
この構成によれば、次の効果を得ることができる。本発明に係る保持具においては、保持部、第１部材、及び連結部材で囲まれた保持空間に容器が収容される。また、第２方向において、第１折曲げ線から第１固定部までの第１長さが、第２折曲げ線から第２固定部までの第２長さと、相違するように構成されているため、第１固定部と第２固定部とを固定すると、保持空間における第１部材と連結部材とのなす角、または第２部材と連結部材とのなす角が鋭角になる。これにより、保持空間において、少なくとも第１部材及び連結部材、または第２部材及び連結部材が、容器に近接して密着するため、容器を確実に保持することができる。したがって、保持部の第２方向の長さを、容器の直径に正確に対応するように設計していなくても、両固定部を固定したときには、少なくとも第１部材及び連結部材、または第２部材及び連結部材を、容器に密着させることができる。したがって、容器を保持空間に挿入しやすいながらも、容器を確実に保持することができる。
【００３３】
上記保持具においては、前記第１長さを、前記第２長さよりも長くすることができる。これにより、次の効果を得ることできる。
【００３４】
すなわち、例えば、保持部の第２方向の中心に、第１方向に延びる折曲げ線（例えば、第１折曲げ線）が形成されていると、第１固定部を第２固定部に取り付けたときには、保持部において、上記折曲げ線を挟んだ両側の領域のなす角度が鋭角になるため、外部から圧力が作用したとき、弾性により、これらの角度が広がるように反発する。このような反発は、第１ストッパ及び第２ストッパでも生じる。したがって、この構成によれば、保持具が外力によって潰れるのを防止することができる。
【００３５】
また、上記保持具において、前記一対の第２切れ込み線の間の長さを、前記第２方向の両端部よりも、前記第２方向の中間部において長くすることができる。
【００３６】
これにより、保持部は、上記鋭角をなすように変形したときに、高い反発を奏することができる。また、このように、保持部の中央が長いため、保持部を背面側から押圧したとき、前面側へ突出しやすくなる。
【００３７】
本発明に係る柱状容器を固定する方法は、板状の第１部材と、前記第１部材と第１折曲げ線を介して連結される板状の連結部材と、前記第１折曲げ線の一端部側に設けられた第１ストッパと、前記第１折曲げ線の他端部側に設けられた第２ストッパと、前記第１ストッパと第２ストッパとの間に設けられた保持部と、を備えた保持具であって、前記連結部材と前記第１部材とに亘って、前記第１折曲げ線と垂直に延び、前記第１ストッパを構成する一対の第１切れ込み線が形成され、当該一対の第１切れ込み線のうち、前記第１折曲げ線の一端部側の前記第１切れ込み線が、他端部側の前記第１切れ込み線よりも長い、保持具を準備するステップと、前記第１折曲げ線を折り曲げるステップと、前記第２ストッパに前記容器の下端部を支持させるとともに、前記保持部に前記容器の外周面を巻き付けるステップと、前記一対の第１切れ込み線に挟まれた領域を突出させることで、前記容器の上端部に係合可能な前記第１ストッパを形成するステップと、を備えている。
【発明の効果】
【００３８】
本発明に係る保持具によれば、寸法誤差が生じた場合でも、柱状の容器を確実に取り付けることができる。本発明に係る保持具は、その表面等に商品名、説明等を記載し、そのまま包装体として使用することができるし、また、容器を取り付けた後、箱等の包装体に収容し、包装体内で容器が動かないように固定するための中枠として使用することもできる。
【図面の簡単な説明】
【００３９】
【図１】本実施形態に係る保持具の展開図である。
【図２】図１の保持具の取付の様子を示す側面図である。
【図３】図１の保持具に容器を取り付けたときの平面図である。
【図４】図３との対比のための平面図である。
【図５】従来技術に係る保持具に柱状の容器を取り付けた状態を示す斜視図である。
【図６】図５の保持具の展開図である。
【図７】図６の保持具への容器の取付を説明する図である。
【図８】図６の保持具への容器の取付を説明する図である。
【図９】図６の保持具への容器の取付を説明する図である。
【図１０】図６の保持具への容器の取付を説明する図である。
【発明を実施するための形態】
【００４０】
以下、本発明に係る柱状容器の保持具の一実施形態について、図面を参照しつつ説明する。図１は、本実施形態に係る保持具の展開図である。以下では、本実施形態に係る保持具について、従来技術の欄で示した保持具との相違点を中心に説明し、図面において同一構成については同一符号を付してその説明を省略する。また、本実施形態における上下方向が本発明の第１方向に相当し、左右方向または幅方向が本発明の第２方向に相当する。
【００４１】
＜Ａ．第１ストッパ＞
第１ストッパ６においては、上側第１切れ込み線６１が下側第１切れ込み線６２よりもやや長く（例えば、５〜３０％程度）なっている。そして、上側第１切れ込み線６１及び下側第１切れ込み線６２の中心を、第１折曲げ線１０が通過している。これにより、両第１切れ込み線６１，６２の右側端部同士を結ぶ右側第１ストッパ折曲げ線６３は、下方に向かってやや左側に傾斜している。一方、両第１切れ込み線６１，６２の左側端部同士を結ぶ左側第１ストッパ折曲げ線６４は、下方に向かってやや右側に傾斜している。したがって、両第１切れ込み線６１，６２、及び両第１ストッパ折曲げ線６３，６４で囲まれた領域は、台形状に形成されている。
【００４２】
＜Ｂ．保持部＞
両第２切れ込み線７１，７２は、同じ長さであり、第２折曲げ線２０から右側へ、第１折曲げ線１０をまたぐように第１部材１まで延びている。但し、上側第２切れ込み線７１は、その中心、つまり第１折曲げ線１０の位置で上に凸となるように折れ曲がっている。一方、下側第２切れ込み線７２は、その中心、つまり第１折曲げ線１０の位置で下に凸となるように折れ曲がっている。したがって、両第２切れ込み線７１，７２間の上下方向の距離は、両端部で最も短く、中央部分、つまり第１折曲げ線１０の位置で最も長くなっている。
【００４３】
＜Ｃ．第２ストッパ＞
第２ストッパ８は、従来技術の保持具と同じ構成である。但し、第１ストッパ６の下側第１切れ込み線６２と、第２ストッパ８の上側第３切れ込み線８１との間の設置長さＳは、容器１００の上下方向の高さＬよりも、やや長くなるように形成されている。
【００４４】
＜Ｄ．舌片＞
第１部材１の右側の端部には、上下方向に延びる第１舌片１１（第１固定部）が形成されている。第１舌片１１は、上下の辺が円弧状に形成された矩形状に形成されており、右辺１１１が第１部材１に固定され、その他の上辺、左辺、及び、下辺が切れ込み線１１２となっている。したがって、第１舌片１１は、第１部材１に対し、右辺１１１を中心に揺動可能となっている。
【００４５】
一方、第２部材２の左側の端部には、上下方向に延びる矩形状の第２舌片２１（第２固定部）が形成されている。第２舌片２１は、右辺２１１が長く、左辺が短い台形状に形成されており、右辺２１１の長さは第１舌片１１の上下方向の最大長さよりやや長く、左辺は第１舌片１１の右辺１１１の長さよりもやや長く形成されている。そして、第２舌片２１は、右辺２１１が第２部材２に固定されるとともに、その他の上辺、左辺、及び、下辺が切れ込み線２１２となっている。したがって、第２舌片２１は、第２部材２に対し、右辺２１１を中心に揺動可能となっている。
【００４６】
また、第１舌片１１及び第２舌片２１の位置について、第１折曲げ線１０から第１舌片の右辺１１１までの左右方向の第１長さＤ１が、第２折曲げ線２０から第２舌片２１の左辺までの左右方向の第２長さＤ２より長くなるように、調整されている。
【００４７】
＜Ｅ．保持具への容器の取付＞
保持具に対する、容器１００を取り付ける手順は同じである。
【００４８】
＜Ｆ．特徴＞
以上のように、本実施形態によれば、従来技術の保持具と比べ、次の利点がある。第１ストッパ６においては、上側第１切れ込み線６１が下側第１切れ込み線６２よりもやや長く形成されているため、第１折曲げ線１０及び第２折曲げ線２０を折り曲げた後、第１ストッパ６を前面側に突出させると、第１ストッパ６は、下方にやや傾斜した状態となる。すなわち、図２に示すように、第１ストッパ６の下端縁は、連結部材３から第１部材１へ延びる下側第１切れ込み線６２よりも下方に位置し、これによって第１ストッパ６と容器１００の上端部とが当接、または非常に近接した状態となる。
【００４９】
したがって、下側第１切れ込み線６２と上側第３切れ込み線８１との間の設置長さを、容器１００の高さと正確に一致させる必要がなく、設置長さＳを容器１００の高さＬよりもやや長くすることができる。この点、従来技術の保持具では、設置長さを容器の高さと正確に一致させるように設計すると、寸法誤差により、設置長さが容器の高さよりも短くなる可能性があり、このような状態になると容器を保持具に取り付けることができなくなる。これに対して、本実施形態においては、設置長さＳを容器１００の高さＬよりもやや長くすることができるため、寸法誤差が生じた場合でも、第１ストッパ６を前面側に突出させることができ、容器１００を保持具に取り付けることが可能となる。
【００５０】
また、保持具においては、右側保持片７０１及び左側保持片７０２の左右方向の長さは、同じであるので、両保持片７０１，７０２の角度が９０度になったときには、保持空間３００の断面は正方形となる。しかしながら、第１舌片１１及び第２舌片２１の位置について、第１折曲げ線１０から第１舌片１１の右辺までの第１長さＤ１が、第２折曲げ線２０から第２舌片２１の左辺までの第２長さＤ２より長いため、第１舌片１１を第２舌片２１に取り付けたときには、図３に示すように、両保持片７０１，７０２の角度及び、第１折曲げ線１０を挟む第１部材１と連結部材３との角度は、ともに鋭角になり、保持空間３００の断面形状は平行四辺形になる。これにより、容器１００は、４つの面から押圧され、強固に保持することができる。
【００５１】
したがって、両保持片７０１，７０２の左右方向の長さを、容器１００の直径と正確に一致させず、やや長くした場合でも、両舌片１１，２１を固定したときには、４つの辺を容器１００に密着させることができる。その結果、容器１００を保持空間３００に挿入しやすいながらも、容器１００を確実に保持することができる。また、このように、４つの辺を容器１００に密着させることができ、容器１００と各保持片７０１，７０２との間に隙間が形成されないため、外部からの圧力に対して、保持具が潰れにくくなり、保持具の剛性を向上することができる。
【００５２】
また、第１長さＤ１が、第２長さＤ２より長いため、第１舌片１１を第２舌片２１に取り付けたときには、図３に示すように、両第１ストッパ片６０１，６０２、両第２ストッパ片８０１，８０２、及び両保持片７０１，７０２の角度がすべて鋭角になる。そのため、本実施形態では、外部から圧力が作用したとき、弾性により、これらの角度が広がるように反発する。一方、図４に示すように、仮に、両第１ストッパ片６０１，６０２、両第２ストッパ片８０１，８０２、及び両保持片７０１，７０２の角度が鈍角である場合には、外部から圧力が作用したとき、これに反発できない。したがって、本実施形態によれば、保持具が外力によって潰れるのを防止することができる。
【００５３】
特に、保持部７は、両保持片７０１，７０２をつなぐ第１折曲げ線１０が長いため、高い反発を奏することができる。また、このように、保持部７の中央を通る第１折曲げ線１０が長いため、保持部７を背面側から押圧したとき、前面側へ突出しやすくなる。
【００５４】
＜Ｇ．変形例＞
以上、本発明の一実施形態について説明したが、本発明は上記実施形態に限定されるものではなく、その趣旨を逸脱しない限りにおいて、種々の変更が可能である。
【００５５】
＜５−１＞
上記実施形態では、第１ストッパ６において、上側第１切れ込み線６１を、下側第１切れ込み線６２よりも長く形成することで、第１折曲げ線１０を折り曲げたときに、第１ストッパ６が下側に傾斜するように構成しているが、第２ストッパ８も同様に構成することもできる。すなわち、第２ストッパ８において、下側第３切れ込み線８２を、上側第３切れ込み線８１よりも長く形成すると、第１折曲げ線１０を折り曲げたときに、第２ストッパ８を上側に傾斜させることができる。
【００５６】
＜５−２＞
上記実施形態では、保持部の上下方向の長さを、左右方向の中心が最も長くしているが、この際、両第２切れ込み線７１，７２を折曲げ線ではなく、曲線状にすることもできる。また、上記実施形態では、両第１切れ込み線７１，７２間の上下方向の距離が、第１折曲げ線１０の位置で最も長くなっているが、当該上下方向の距離は全て同一であってもよいし、第１折曲げ線１０の位置で最も短くなっていてもよい。但し、両第１ストッパ片６０１，６０２、両第２ストッパ片８０１，８０２、及び両保持片７０１，７０２の角度を鋭角をなすように変形したときに、高い反発を奏するためには、第１折曲げ線１０の位置で最も長くする必要がある。
【００５７】
＜５−３＞
保持部７の構成は必ずしも上記実施形態のようにする必要はなく、従来技術と同じでよい。
【００５８】
＜５−４＞
また、第１舌片１１と第１折曲げ線１０との間の第１長さＤ１、及び第２折曲げ線２０と第２舌片２１との間の第２長さＤ２について、第１長さＤ１を第２長さＤ２よりも短くすることもできる。このようにしても、第１舌片１１と第２舌片２１を固定すると、保持空間３００は平行四辺形になるため、容器１００を確実に固定することができる。但し、両第１ストッパ片６０１，６０２、両第２ストッパ片８０１，８０２、及び両保持片７０１，７０２の角度を鋭角にするには、第１長さＤ１を第２長さＤ２よりも長くする必要がある。なお、第１長さＤ１と第２長さＤ２を同じ長さにしてもよい。
【００５９】
＜５−５＞
上記実施形態では、保持部７の左端部を、第２折曲げ線２０と一致させているが、保持部７の上側第２切れ込み線７１及び下側第２切れ込み線７２の左側の端部同士を結ぶ折曲げ線は、連結部材３の内部、あるいは第２部材２の内部にあってもよい。
【００６０】
＜５−６＞
上記実施形態では、第１ストッパ６、保持部７、及び第２ストッパ８上を第１折曲げ線１０が通過し、これらを前面側に突出させたときに、これらの上にある第１折曲げ線１０も折れ曲がるようにしているが、第１折曲げ線１０を、第１ストッパ６、保持部７、及び第２ストッパ８上に形成しなくてもよい。すなわち、両第１ストッパ折曲げ線６３、６４、保持部折曲げ線７３、第２折曲げ線２０、及び両第２ストッパ折曲げ線８３，８４のみを折曲げることで、第１ストッパ６、保持部７、及び第２ストッパ８を突出させてもよい。この場合、第１ストッパ６、保持部７、及び第２ストッパ８は円弧状に突出するが、このような形態でも、上述した効果を得ることができる。
【００６１】
＜５−７＞
上記実施形態では、本発明に係る固定部として、舌片１１，２１を用いて第１部材１及び第２部材２の端部同士を固定しているが、固定部としては、両部材１，２を固定できれば、これ以外の方法でもよく、例えば、面ファスナー、ボタンなど、種々の方法がある。
【００６２】
＜５−８＞
第２部材２は必ずしも必要ではなく、第１部材１と連結部材３とで容器１００を保持することができる。この場合、保持部７の上側第２切れ込み線７１及び下側第２切れ込み線７２の左側の端部同士を結ぶ折曲げ線は、連結部材３の内部に形成される。
【００６３】
＜５−９＞
本発明で保持される容器は、柱状であればよく、上記実施形態のような円柱状以外でもよい。すなわち、断面多角形状であり、一方向（例えば、上下方向）に延びる形状であれば、特には限定されない。
【００６４】
＜５−１０＞
本発明においては、保持部の構成は、特には限定されず、上記実施形態以外であっても、容器を保持できればよい。また、第２ストッパについても、上記実施形態以外であっても、容器の移動を規制できればよい。
【００６５】
＜５−１１＞
本発明に係る保持具は、第１部材１、第２部材２、及び連結部材３の少なくとも１つに商品名、説明等を記載し、容器１００に収容された商品の包装体として使用することができる。そして、容器１００を取付けた保持具を、箱などの包装体に収容し、包装体内で容器が動かないようにするための中枠として使用することもできる。あるいは、保持具を、容器１００を保持する緩衝材として使用することもできる。
【００６６】
＜５−１２＞
保持具は、紙材のほか、プラスチックなどの薄い樹脂材料、薄い金属材料などとで形成することもできる。
【符号の説明】
【００６７】
１  第１部材
１０  第１折曲げ線
１１  第１舌片（第１固定部）
２  第２部材
２０  第２折曲げ線
２１  第２舌片（第２固定部）
３  連結部材
６  第１ストッパ
６１  上側第１切れ込み線
６２  下側第１切れ込み線
７  保持部
７１  上側第２切れ込み線
７２  下側第２切れ込み線
８  第２ストッパ
１００  容器
Ｄ１  第１長さ
Ｄ２  第２長さ
【図１】
2015155309.tif 000003
【図２】
2015155309.tif 000004
【図３】
2015155309.tif 000005
【図４】
2015155309.tif 000006
【図５】
2015155309.tif 000007
【図６】
2015155309.tif 000008
【図７】
2015155309.tif 000009
【図８】
2015155309.tif 000010
【図９】
2015155309.tif 000011
【図１０】
2015155309.tif 000012